(57)【要約】【課題】  一つの駆動手段で間欠回転を行なうことにより、構造及び制御を単純化し、小型化及び製造原価のコストダウンを図るとともに、高速間欠払出しを行なうことのできる遊技球払出し装置の提供を目的とする。【解決手段】  遊技球払出し装置１は、回転自在に軸支されたスプロケット本体４１と、払出し角度に係止するメイン係止部４２１及び間欠回転角度に係止するサブ係止部４２２が、外周面の両側に突設された回転制御車４２と、移動自在に支持され、正面方向に移動するとメイン係止部４２１を係止するメイン係止用凸部７３及び背面方向に移動するとサブ係止部４２２を係止するサブ係止用凸部７４が形成された往復移動部材７とを具備した構成としてある。【選択図】  図１
2006061458.tif 000002
【特許請求の範囲】
【請求項１】
遊技球通路の少なくとも一部が形成された筐体と、
この筐体正面に回転自在に軸支され、歯と歯の間に前記遊技球通路内の遊技球と係合する球係合部が形成され、所定の払出し角度に回転すると、所定数量の前記遊技球を払い出すスプロケット本体と、
このスプロケット本体と連動して回転し、前記スプロケット本体を前記所定の払出し角度に係止するメイン係止部が、外周面の背面側に突設され、さらに、前記スプロケット本体を所定の間欠回転角度に係止するサブ係止部が、外周面の正面側に突設された回転制御車と、
前記筐体正面に固定され、遊技球払出し信号を入力すると、可動部が背面方向に移動する駆動ソレノイドと、
圧縮ばねにより正面方向に付勢された状態で、正面方向および背面方向に移動自在に支持され、前記可動部と連結された連結部，正面方向に移動すると前記メイン係止部を係止し、かつ、背面方向に移動すると前記メイン係止部の係止を解除するメイン係止用凸部，及び，背面方向に移動すると前記サブ係止部を係止し、かつ、正面方向に移動すると前記サブ係止部の係止を解除するサブ係止用凸部が形成された往復移動部材と、
を具備したことを特徴とする遊技球払出し装置。
【請求項２】
前記所定数量を一個としたことを特徴とする請求項１記載の遊技球払出し装置。
【請求項３】
前記メイン係止部の背面側に、反回転方向かつ正面方向に傾斜したテーパ面を形成し、前記メイン係止用凸部の正面側に、回転方向かつ背面方向に傾斜したテーパ面を形成し、さらに、前記サブ係止部の正面側に、反回転方向かつ背面方向に傾斜したテーパ面を形成し、前記サブ係止用凸部の背面側に、回転方向かつ正面方向に傾斜したテーパ面を形成したことを特徴とする請求項１又は２記載の遊技球払出し装置。
【請求項４】
前記メイン係止部の被係止面に、正面方向に傾斜した被係止テーパ面を形成し、前記メイン係止用凸部の係止面に、背面方向に傾斜した係止テーパ面を形成し、さらに、前記サブ係止部の被係止面に、背面方向に傾斜した被係止テーパ面を形成し、前記サブ係止用凸部の係止面に、正面方向に傾斜した係止テーパ面を形成したことを特徴とする請求項１〜３のいずれかに記載の遊技球払出し装置。
【請求項５】
前記スプロケット本体と回転制御車とを、スプロケットとして一体的に形成したことを特徴とする請求項１〜４のいずれかに記載の遊技球払出し装置。
【請求項６】
前記スプロケットが、両端支持されたスプロケット用軸によって、回転自在に軸支され，及び／又は，前記往復移動部材が、両端支持された往復移動部材用軸によって、往復移動自在に軸支されたことを特徴とする請求項５記載の遊技球払出し装置。
【請求項７】
前記遊技球通路の下方端部に、玉計数センサを設けたことを特徴とする請求項１〜６のいずれかに記載の遊技球払出し装置。
【発明の詳細な説明】
【技術分野】
【０００１】
本発明は、遊技球払出し装置に関し、特に、パチンコ遊技機の入賞に対する賞球として払い出される遊技球，貸玉として払い出される遊技球，パチンコ遊技機に自動補充される遊技球等を払い出す遊技球払出し装置に関する。
【背景技術】
【０００２】
パチンコ遊技機等には、指示された数量の遊技球を払い出す遊技球払出し装置が設けられている。たとえば、パチンコ遊技機に設けられた遊技球払出し装置は、遊技球が入賞すると、あらかじめ設定された賞球数（たとえば、６個出し，１５個出し等）の遊技球を払い出している。
【０００３】
たとえば、特許文献１のパチンコ玉払出器は、外周にパチンコ玉が嵌入する凹部（球係合部）が形成された歯車（スプロケット本体）を、払出用の玉通路（遊技球通路）内に臨ませて回転自在に配設し、この歯車の軸方向に揺動して先端が歯車の歯に係合する第１ストッパと、この第１ストッパに対向配置され、やはり歯車の軸方向に揺動して、第１ストッパに対して歯車の一歯分より小さい回転量分だけ周方向に離れた位置において、回転してくる歯車の歯に係合する第２ストッパを備えた構成としてある。
このパチンコ玉払出器は、払出数が指令値に近付くまでは、パチンコ玉を連続的に排出すべく歯車をパチンコ玉の重量に任せて連続的に回転させ、払出数か指令値に近付くと、歯車の回転を、凹部一つ分に相当する微少角回転と停止とが交互に繰返される間欠回転に切換え、払出数が指令値に達したときに、この歯車の間欠回転を停止して、任意に指令される数量のパチンコ玉を高速かつ正確に払い出すことができる。
【特許文献１】特開平７−８０１４３号公報  （請求項１、図１，２，４）
【発明の開示】
【発明が解決しようとする課題】
【０００４】
しかしながら、上記特許文献１にかかるパチンコ玉払出器は、間欠回転を行なう際、第１ストッパと第２ストッパを交互に揺動させるため、第１駆動手段と第２駆動手段とを必要とし、小型化及び製造原価のコストダウンを図ることができないといった問題があった。
【０００５】
また、払出数が指令値に近付くまでは、歯車をパチンコ玉の重量に任せて連続的に回転させるので、歯車が高速回転し過ぎないようにガバナを設ける必要があり、構造が複雑化するといった問題があった。
また、連続回転と間欠回転との切替制御を行なう必要があり、さらに、間欠回転させる際、第１駆動手段と第２駆動手段とにそれぞれ交互に駆動パルスを出力する必要もあり、制御が複雑化するといった問題があった。
【０００６】
本発明は、上記の事情にかんがみなされたものであり、一つの駆動手段で間欠回転を行なうことにより、構造及び制御を単純化し、小型化及び製造原価のコストダウンを図るとともに、高速間欠払出しを行なうことのできる遊技球払出し装置の提供を目的とする。
【課題を解決するための手段】
【０００７】
この目的を達成するため、本発明の遊技球払出し装置は、遊技球通路の少なくとも一部が形成された筐体と、この筐体正面に回転自在に軸支され、歯と歯の間に前記遊技球通路内の遊技球と係合する球係合部が形成され、所定の払出し角度に回転すると、所定数量の前記遊技球を払い出すスプロケット本体と、このスプロケット本体と連動して回転し、前記スプロケット本体を前記所定の払出し角度に係止するメイン係止部が、外周面の背面側に突設され、さらに、前記スプロケット本体を所定の間欠回転角度に係止するサブ係止部が、外周面の正面側に突設された回転制御車と、前記筐体正面に固定され、遊技球払出し信号を入力すると、可動部が背面方向に移動する駆動ソレノイドと、圧縮ばねにより正面方向に付勢された状態で、正面方向および背面方向に移動自在に支持され、前記可動部と連結された連結部，正面方向に移動すると前記メイン係止部を係止し、かつ、背面方向に移動すると前記メイン係止部の係止を解除するメイン係止用凸部，及び，背面方向に移動すると前記サブ係止部を係止し、かつ、正面方向に移動すると前記サブ係止部の係止を解除するサブ係止用凸部が形成された往復移動部材と、を具備した構成としてある。
このようにすると、一つの駆動ソレノイドを使用して、スプロケット本体を間欠回転させることができ、小型化及び製造原価のコストダウンを図ることができる。
【０００８】
また、本発明の遊技球払出し装置は、前記所定数量を一個とした構成としてある。
このようにすると、一つの駆動パルスで遊技球を一個払い出すことができ、駆動パルスの数を調整することにより、任意の数量の遊技球を払い出すことができる。
【０００９】
また、本発明の遊技球払出し装置は、前記メイン係止部の背面側に、反回転方向かつ正面方向に傾斜したテーパ面を形成し、前記メイン係止用凸部の正面側に、回転方向かつ背面方向に傾斜したテーパ面を形成し、さらに、前記サブ係止部の正面側に、反回転方向かつ背面方向に傾斜したテーパ面を形成し、前記サブ係止用凸部の背面側に、回転方向かつ正面方向に傾斜したテーパ面を形成した構成としてある。
このようにすると、往復移動部材が背面方向に移動する際、サブ係止用凸部の背面がサブ係止部の正面と当接しても、双方のテーパ面どうしが当接するので、スプロケット本体を強制的に回転方向に回転させることができる。また、往復移動部材が正面方向に移動する際、メイン係止用凸部の正面がメイン係止部の背面と当接しても、双方のテーパ面どうしが当接するので、スプロケット本体を強制的に回転方向に回転させることができる。これにより、スプロケット本体の回転を妨げるといった不具合を回避でき、スムースに回転させることができる。さらに、往復移動部材の往復移動のサイクルタイムを短縮してもスムースに回転するので、スプロケット本体を高速間欠回転させ、高速間欠払出しを行なうことができる。
【００１０】
また、本発明の遊技球払出し装置は、前記メイン係止部の被係止面に、正面方向に傾斜した被係止テーパ面を形成し、前記メイン係止用凸部の係止面に、背面方向に傾斜した係止テーパ面を形成し、さらに、前記サブ係止部の被係止面に、背面方向に傾斜した被係止テーパ面を形成し、前記サブ係止用凸部の係止面に、正面方向に傾斜した係止テーパ面を形成した構成としてある。
このようにすると、たとえば、多くの遊技球が遊技球通路内のスプロケット本体の歯に係止され、これら遊技球の重量に応じた力で、被係止テーパ面が係止テーパ面に押し付けられている場合であっても、往復移動部材を移動させる際、係止テーパ面が被係止テーパ面上をスムースに移動することができる。これにより、往復移動部材の往復移動のサイクルタイムをさらに短縮でき、間欠払出しのさらなる高速化を図ることができる。また、往復移動部材を移動させる力が小さくてもすむので、その分駆動ソレノイドの負荷を低減でき、耐久性を向上させることができる。さらに、往復移動部材が高速で往復移動すると、係止テーパ面が被係止テーパ面からほとんど摺動することなく離れるので、各被係止テーパ面及び係止テーパ面が磨耗するといった不具合を回避することができる。
【００１１】
また、本発明の遊技球払出し装置は、前記スプロケット本体と回転制御車とを、スプロケットとして一体的に形成した構成としてある。
このようにすると、構造を単純化できるとともに部品点数を削減できるので、製造原価のコストダウンを図ることができる。
【００１２】
また、本発明の遊技球払出し装置は、前記スプロケットが、両端支持されたスプロケット用軸によって、回転自在に軸支され，及び／又は前記往復移動部材が、両端支持された往復移動部材用軸によって、往復移動自在に軸支され構成としてある。
このようにすると、スプロケット用軸や往復移動部材用軸の取付け強度を高めることができ、スプロケットの間欠回転の耐久性を向上させることができる。
【００１３】
また、本発明の遊技球払出し装置は、前記遊技球通路の下方端部に、玉計数センサを設けた構成としてある。
このようにすると、払い出された遊技球を短時間のうちに検出することができ、払出し数の制御を精度よく行なうことができる。
【発明の効果】
【００１４】
このように、本発明にかかる遊技球払出し装置は、一つの駆動手段でスプロケットを間欠回転させることにより、構造及び制御を単純化し、小型化及び製造原価のコストダウンを図ることができる。
また、遊技球払出し装置は、サブ係止用凸部，サブ係止部，メイン係止用凸部及びメイン係止部に、テーパ面や被係止テーパ面および係止テーパ面を形成することにより、往復移動部材の往復移動のサイクルタイムを短縮し、スプロケット本体を高速間欠回転させ、遊技球の高速間欠払出しを行なうことができる。
【発明を実施するための最良の形態】
【００１５】
図１は、本発明の実施形態にかかる遊技球払出し装置の概略斜視図を示している。
また、図２は、本発明の実施形態にかかる遊技球払出し装置の概略分解斜視図を示している。
図１，２において、遊技球払出し装置１は、筐体２，カバー３，スプロケット４，スプロケット用軸５，駆動ソレノイド６，往復移動部材７，圧縮ばね８及び往復移動部材用軸９を備えた構成としてある。
【００１６】
（筐体）  
筐体２は、上縁部及び下縁部が、側面から見ると鉤状に折り曲げられた矩形平板状であり、板の中段部右側に遊技球通路２１が形成された構造としてある。すなわち、筐体２は、上下方向に対向する取付け板２２と、上面板２３及び下面板２４と、正面板２５と、正面板２５の右側端部にほぼ垂直方向に設けられ、遊技球通路２１を形成する通路板２６とからなっている。
このように、正面板２５が正面側に突き出た形状とすることによって、正面板２５の背面側に、スプロケット用軸５や往復移動部材用軸９を固定するためのナット８２の取付けスペースと、駆動ソレノイド６のシャフト６３の背面側端部（図示せず）が背面側に移動する際の移動スペースを確保することができる。
なお、本実施形態の遊技球通路２１は、垂直方向に設けてあるが、この構成に限定されるものではなく、たとえば、緩やかに傾斜した遊技球通路でもよい。
【００１７】
上記取付け板２２は、パチンコ遊技機等の取付け面（図示せず）に螺着するためのねじ孔２２１が穿設してある。
また、上面板２３及び下面板２４は、カバー３を螺着するための雌ねじ２３１が加工されている。
さらに、正面板２５は、駆動ソレノイド６を固定するためのねじ孔２５１と、シャフト６３の背面側端部（図示せず）が貫通する貫通孔２５２と、スプロケット用軸５及び往復移動部材用軸９を固定するためのねじ孔２５３が穿設してある。
また、通路板２６は、遊技球通路２１の中段左側に、スプロケット本体４１の一部を回転可能に収納するための切欠２６１が形成してある。
【００１８】
好ましくは、遊技球通路２１の下方端部に、玉計数センサ２０を設けた構成とするとよく、このようにすると、払い出された遊技球１０を短時間のうちに検出することができ、タイムラグが低減されるので払出し数の制御を精度よく行なうことができる。また、玉計数センサ２０としては、通常、フォトインタラプタが使用されるが、これに限定されるものではない。
なお、本実施形態の筐体２及びカバー３は、金属板にプレス加工及びスポット溶接を行なうことにより製作してあるが、これに限定されるものではなく、たとえば、樹脂を一体成形することにより製作してもよい。
【００１９】
（カバー）
カバー３は、筐体２の正面板２５と対向する正面板３１と、上面板２３及び下面板２４と平行に折り曲げられ、上面板２３及び下面板２４に螺着される上面板３２及び下面板３３とからなっている。
正面板３１は、ねじ孔２５３と対向する位置に、スプロケット用軸５及び往復移動部材用軸９を固定するためのねじ孔３１１が穿設してある。
また、上面板３２及び下面板３３は、雌ねじ２３１に対応する位置に、ねじ孔３２１が穿設してある。なお、本実施形態では、上面板どうし２３，３２及下面板どうし２４，３３を、それぞれ一本のねじ８１で固定する構造としてあるが、機械的強度を向上させるために、それぞれ複数本のねじ８１で固定してもよい。
【００２０】
（スプロケット）
図３は、本発明の実施形態にかかる遊技球払出し装置のスプロケットの概略拡大正面図を示している。
同図において、スプロケット４は、６枚の歯４１１が等間隔で形成されたスプロケット本体４１と、このスプロケット本体４１と一体的に成形された回転制御車４２とからなっており、スプロケット本体４１と回転制御車４２に連通する貫通孔４３が形成してある。また、スプロケット本体４１と回転制御車４２とを、スプロケット４として一体的に形成した構成とすることにより、構造を単純化できるとともに部品点数を削減できるので、製造原価のコストダウンを図ることができる。
なお、歯４１１の枚数は、上記６枚に限定されるものではなく、たとえば、７枚以上の歯４１１を設けることも可能である。ただし、必要以上に歯４１１の枚数を増やさないことにより、スプロケット本体４１を小型化することができる。
【００２１】
スプロケット４は、貫通孔４３にスプロケット用軸５が挿入され、筐体２の正面板２５に回転自在に軸支されている。
ここで、好ましくは、正面板２５とカバー３に両端支持されたスプロケット用軸５によって、スプロケット４を軸支する構成とするとよく、このようにすると、回転制御車４２が係止される際に軸中心と直角方向に作用する衝撃荷重に対して、スプロケット用軸５の取付け強度を十分高めることができ、スプロケット４の間欠回転の耐久性を向上させることができる。
【００２２】
スプロケット本体４１は、歯４１１と歯４１１の間に遊技球通路２１内の遊技球（図示せず）と係合する球係合部４１２が形成され、スプロケット本体４１が、所定の払出し角度に回転すると、所定数量の遊技球を払い出す構成としてある。なお、スプロケット４は、歯４１１に係止される遊技球１０が落下することにより回転する。
【００２３】
回転制御車４２は、スプロケット本体４１を所定の払出し角度に係止するためのメイン係止部４２１が、外周面の背面側に、歯４１１から約２３°反回転方向に回転した位置に約６０°ピッチで六個突設され、さらに、スプロケット本体４１を所定の間欠回転角度に係止するサブ係止部４２２が、外周面の正面側に、歯４１１から約７°回転方向に回転した位置に約６０°ピッチで六個突設されている。また、メイン係止部４２１及びサブ係止部４２２は、半径方向に突設されたほぼ四角柱状の突起部である。
【００２４】
所定の払出し角度とは、正面方向から見て、スプロケット本体４１の歯４１１が、スプロケット本体４１の中心軸を通る水平線と一致する角度をいい、また、所定の間欠回転角度とは、正面方向から見て、スプロケット本体４１の球係合部４１２の仮想中心点（図示せず）が、スプロケット本体４１の中心軸を通る水平線と一致する角度をいう。
すなわち、本実施形態では、図３に示した状態の角度が所定の払出し角度であり、この状態から、回転方向（時計回り方向）に約３０°回転させると、間欠回転角度となり、さらに、回転方向に約３０°回転させると、払出し角度となる。
【００２５】
スプロケット４は、上記約３０°ピッチの間欠回転を繰り返すことによって、遊技球１０を連続的に間欠払出しする。この際、所定の払出し角度に位置するスプロケット本体４１が、二回間欠回転すると（払出し角度→間欠回転角度→払出し角度）、回転方向に約６０°回転し次の所定の払出し角度まで回転する。そして、水平線と一致する歯４１１の反回転方向側の球係合部４１２に係合されていた遊技球１０が、下方に払い出され、新たに水平線と一致する歯４１１の反回転方向側の球係合部４１２に次の遊技球１０が上方から係合される。
また、本実施形態では、上記払い出される遊技球１０の所定数量を、一個としてある。このようにすると、一つの駆動パルスで遊技球１０を一個払い出すことができ、駆動パルスの数を調整することにより、任意の数量の遊技球１０を払い出すことができる。
【００２６】
（スプロケット用軸）
スプロケット用軸５は、金属製の両端に、雄ねじ５１が形成された丸棒である。
このスプロケット用軸５は、スプロケット４の貫通孔４３に挿入され、スプロケット４を軸支する。また、スプロケット用軸５は、両端の雄ねじ５１がそれぞれねじ孔２５３，３１１に貫通され、外方向から各雄ねじ５１にナット８２が締め付けられる。
【００２７】
（駆動ソレノイド）
駆動ソレノイド６は、軸受及びコイル（図示せず）が内臓され、底面に取付け用雄ねじ（図示せず）が突設されたフレーム６１と、上記軸受に軸支され、プランジャ６２が固定されたシャフト６３を備えた構成としてある。また、駆動ソレノイド６は、一対の取付け用雄ねじがそれぞれねじ孔２５１に貫通され、外方向からナット（図示せず）が締め付けられることにより、筐体２に固定される。さらに、シャフト６３は、正面側端部に雄ねじ（図示せず）が加工されており、往復移動部材７の連結部７１に貫通されナット８３が締め込まれることにより、往復移動部材７と連結される。
【００２８】
この駆動ソレノイド６は、電源オンされると、発生した磁気吸引力によってシャフト６３が背面方向に移動し、電源オフされると、磁気吸引力が消滅し圧縮ばね８のばね力によって、正面方向に移動する。また、駆動ソレノイド６は、遊技球払出し信号として、駆動パルスを入力し、入力した駆動パルスの数だけ往復移動する。
【００２９】
（往復移動部材）
図４は、本発明の実施形態にかかる遊技球払出し装置の往復移動部材の概略図であり、（ａ）は正面図を、（ｂ）は側面図を、（ｃ）はＡ−Ａ矢視図を、（ｄ）はＢ−Ｂ矢視図を示している。
同図において、往復移動部材７は、駆動ソレノイド６のシャフト６３と連結される連結部７１と、往復移動部材用軸９が貫通する軸受部７２と、正面方向に移動するとメイン係止部４２１を係止し、かつ、背面方向に移動するとメイン係止部４２１の係止を解除するメイン係止用凸部７３と、背面方向に移動するとサブ係止部４２２を係止し、かつ、正面方向に移動するとサブ係止部４２２の係止を解除するサブ係止用凸部７４とを備えた構成としてある。また、メイン係止用凸部７３及びサブ係止用凸部７４は、スプロケット４の中心軸方向に突設されたほぼ四角柱状の突起部である。
【００３０】
この往復移動部材７は、圧縮ばね８により正面方向に付勢された状態で、正面方向および背面方向に移動自在に支持されている。
ここで、好ましくは、正面板２５とカバー３に両端支持された往復移動部材用軸９によって、往復移動部材７を往復移動自在に軸支する構成とするとよく、このようにすると、回転制御車４２が係止される際に軸中心と直角方向に作用する衝撃荷重に対して、往復移動部材用軸９の取付け強度を十分高めることができ、スプロケット４の間欠回転の耐久性を向上させることができる。
また、往復移動部材７は、連結部７１がシャフト６３と連結されることにより、シャフト６３と連動して往復移動する。
【００３１】
（圧縮ばね）
圧縮ばね８は、軸受部７２の背面側部分が挿入された状態で、連結部７１と正面板２５の間に取り付けられ、往復移動部材７を正面方向に付勢する。
この圧縮ばね８は、自力では正面方向に移動できない駆動ソレノイド６に代わって、背面方向に移動されたプランジャ６２，シャフト６３及び往復移動部材７を、正面方向に移動させる。
【００３２】
（往復移動部材用軸）
往復移動部材用軸９は、スプロケット用軸５を共用しており、部品の共用化によるコストダウンを図ることができる。
この往復移動部材用軸９は、往復移動部材７の軸受部７２の貫通孔７２１に挿入され、往復移動部材７を軸方向に往復移動自在に支持する。また、往復移動部材用軸９は、両端の雄ねじ５１がそれぞれねじ孔２５３，３１１に貫通され、外方向から各雄ねじ５１にナット８２が締め付けられる。
【００３３】
（テーパ面）
また、好ましくは、メイン係止部４２１の背面側に、反回転方向かつ正面方向に約１５°傾斜したテーパ面４２３を形成し、メイン係止用凸部７３の正面側に、回転方向かつ背面方向に約１５°傾斜したテーパ面７３１を形成し、さらに、サブ係止部４２２の正面側に、反回転方向かつ背面方向に約１５°傾斜したテーパ面４２４を形成し、サブ係止用凸部７４の背面側に、回転方向かつ正面方向に約１５°傾斜したテーパ面７４１を形成するとよい（図３（ａ），図４（ｃ），図４（ｄ）参照）。
【００３４】
このようにすると、往復移動部材７が背面方向に移動する際、サブ係止用凸部７４がサブ係止部４２２と当接しても、サブ係止用凸部７４のテーパ面７４１がサブ係止部４２２のテーパ４２４面と当接し、スプロケット本体４１を強制的に回転方向に回転させることができる。また、往復移動部材７が正面方向に移動する際、メイン係止用凸部７３がメイン係止部４２１と当接しても、メイン係止用凸部７３のテーパ面７３１がメイン係止部４２１のテーパ面４２３と当接し、スプロケット本体４１を強制的に回転方向に回転させることができる。これにより、スプロケット本体４１の回転を妨げるといった不具合を回避でき、スムースに回転させることができる。さらに、往復移動部材７の往復移動のサイクルタイムを短縮することができ、すなわち、往復移動部材７が背面方向に移動し、メイン係止用凸部７３がメイン係止部４２１の係止を解除した後、ただちに往復移動部材７を正面方向に移動させることができ、また、往復移動部材７が正面方向に移動し、サブ係止用凸部７４がサブ係止部４２２の係止を解除した後、ただちに往復移動部材７を背面方向に移動させることができるので、スプロケット本体４１を高速間欠回転させ、遊技球１０の高速間欠払出しを行なうことができる。
【００３５】
（被係止テーパ面および係止テーパ面）
また、さらに好ましくは、メイン係止部４２１の被係止面に、正面方向に約２°傾斜した被係止テーパ面４２５を形成し、メイン係止用凸部７３の係止面に、背面方向に約２°傾斜した係止テーパ面７３２を形成し、さらに、サブ係止部４２２の被係止面に、背面方向に約２°傾斜した被係止テーパ面４２６を形成し、サブ係止用凸部７４の係止面に、正面方向に約２°傾斜した係止テーパ面７４２を形成するとよい（図３（ａ），図４（ｃ），図４（ｄ）参照）。
【００３６】
このようにすると、係止テーパ面７３２，７４２が被係止テーパ面４２５，４２６上をスムースに移動することができるので、往復移動部材７は、背面方向又は正面方向に小さな力でかつ短時間で移動することができる。したがって、たとえば、スプロケット本体４１の歯４１１が複数の遊技球１０を係止し、これら遊技球１０の重量に応じた力で、係止テーパ面７３２，７４２が被係止テーパ面４２５，４２６によって押え付けられている場合であっても、メイン係止用凸部７３又はサブ係止用凸部７４が移動しずらくなるといった不具合を回避することができる。すなわち、往復移動部材７の往復移動のサイクルタイムをさらに短縮でき、間欠払出しのさらなる高速化を図ることができ、また、往復移動部材７を移動させる力が小さくてもすむので、その分駆動ソレノイド６の負荷を低減でき、耐久性を向上させることができる。さらに、往復移動部材７が高速で往復移動すると、係止テーパ面７３２，７４２が被係止テーパ面４２５，４２６からほとんど摺動することなく離れるので、各被係止テーパ面４２５，４２６及び係止テーパ面７３２，７４２が磨耗するといった不具合を回避することができる。
【００３７】
次に、上記構成の遊技球払出し装置１の動作について説明する。
まず、遊技球払出し装置１の停止状態について、図面を参照して説明する。
図５ａは、本実施形態の遊技球払出し装置の停止状態を説明する概略図であり、（Ａ）は要部の断面図を、（Ｂ）はＣ−Ｃ拡大矢視図を示している。
同図において、遊技球払出し装置１は、停止状態において、駆動ソレノイド６が電源オフとなっている。停止状態では、遊技球払出し装置１は、往復移動部材７が圧縮ばね８に付勢されて正面方向に位置しており、往復移動部材７のメイン係止用凸部７３が回転制御車４２のメイン係止部４２１（符号イ）を係止することにより、スプロケット４が払出し角度で停止している。
なお、遊技球通路２１内の歯４１１の上には、遊技球１０が係止されている。
また、往復移動部材７のサブ係止用凸部７４は、回転制御車４２のサブ係止部４２２の通過領域より、正面方向に外れており、サブ係止部４２２を係止できない位置にある。
【００３８】
図５ｂは、本実施形態の遊技球払出し装置の、メイン係止用凸部がメイン係止部の係止を解除したときの状態を説明する概略図であり、（Ａ）は要部の断面図を、（Ｂ）はＤ−Ｄ拡大矢視図を示している。
同図において、遊技球払出し装置１は、駆動ソレノイド６が、パチンコ遊技機や玉貸機の制御部（図示せず）から、遊技球払出し信号として一つの駆動パルスを入力すると、シャフト６３を背面方向に移動させ、シャフト６３と連結された往復移動部材７を背面方向に移動する。そして、往復移動部材７のメイン係止用凸部７３が、メイン係止部４２１（符号イ）の係止を解除する。そして、スプロケット４は、遊技球１０によって回転方向に付勢されているので、回転を開始する。
なお、往復移動部材７のサブ係止用凸部７４は、背面方向に移動しており、回転してくるサブ係止部４２２（符号ロ）を係止可能な位置にある。
【００３９】
図５ｃは、本実施形態の遊技球払出し装置の、サブ係止用凸部がサブ係止部を係止したときの状態を説明する概略図であり、（Ａ）は要部の断面図を、（Ｂ）はＥ−Ｅ拡大矢視図を示している。
同図において、遊技球払出し装置１は、歯４１１に係止される遊技球１０が落下することにより、スプロケット４が間欠回転角度まで約３０°回転し、サブ係止用凸部７４が、回転してきたサブ係止部４２２（符号ロ）を係止している。このとき、遊技球通路２１内の球係合部４１２は、遊技球１０を係合しており、遊技球１０はまだ払い出されない。
【００４０】
図５ｄは、本実施形態の遊技球払出し装置の、サブ係止用凸部がサブ係止部の係止を解除したときの状態を説明する概略図であり、（Ａ）は要部の断面図を、（Ｂ）はＦ−Ｆ拡大矢視図を示している。
同図において、遊技球払出し装置１は、駆動ソレノイド６が、制御部からの駆動パルスをオフされと磁気吸引力を発生しなくなり、圧縮ばね８によって、往復移動部材７が正面方向に移動する。そして、往復移動部材７のサブ係止用凸部７４が、サブ係止部４２２（符号ロ）の係止を解除し、スプロケット４は、歯４１１に係止される遊技球１０が落下することにより回転を開始する。
なお、往復移動部材７のメイン係止用凸部７３は、往復移動部材７が正面方向に移動することにより、メイン係止部４２１（符号ハ）を係止可能な位置にある。
【００４１】
図５ｅは、本実施形態の遊技球払出し装置の、メイン係止用凸部がメイン係止部を係止した状態を説明する概略図であり、（Ａ）は要部の断面図を、（Ｂ）はＧ−Ｇ拡大矢視図を示している。
同図において、遊技球払出し装置１は、メイン係止用凸部７３が、メイン係止部４２１（符号ハ）を係止することのできる位置に移動しているので、回転し始めたスプロケット本体４１は、払出し角度まで約３０°回転すると、球係合部４１２に係合されていた遊技球１０が一個払い出され、また、メイン係止用凸部７３がメイン係止部４２１（符号ハ）を係止することによって、スプロケット４が回転を停止する。
【００４２】
このように、本実施形態にかかる遊技球払出し装置１は、一つの駆動ソレノイド６を用いて、スプロケット４を間欠回転させることができ、構造及び制御を単純化し、小型化及び製造原価のコストダウンを図ることができる。
また、遊技球払出し装置１は、サブ係止用凸部７４，サブ係止部４２２，メイン係止用凸部７３及びメイン係止部４２１に、テーパ面７４１，４２４，７３１，４２３や係止テーパ面７４２，７３２及び被係止テーパ面４２６，４２５を形成することにより、往復移動部材７の往復移動のサイクルタイムを短縮し、スプロケット本体４１を高速間欠回転させ、遊技球１０の高速間欠払出しを行なうことができる。
【００４３】
以上、本発明の遊技球払出し装置１について、好ましい実施形態を示して説明したが、本発明に係る遊技球払出し装置１は、上述した実施形態にのみ限定されるものではなく、本発明の範囲で種々の変更実施が可能であることは言うまでもない。
たとえば、遊技球払出し装置１は、一つの駆動パルスに対して、一個の遊技球を払い出す構成としてあるが、この構成に限定されるものではなく、たとえば、ｎ個のスプロケット本体を多段に連結することにより、一つの駆動パルスでｎ個の遊技球を払い出したり、一つの払出し角度間に、二つの球係合部を設けたりすることにより、一つの駆動パルスで遊技球を二個払い出す等の構成としてもよい。
【産業上の利用可能性】
【００４４】
本発明の遊技球払出し装置は、パチンコ遊技機等の遊技球払出し装置に限定されるものではなく、球を払い出す球払出し装置に広く適用することが可能である。
【図面の簡単な説明】
【００４５】
【図１】本発明の実施形態にかかる遊技球払出し装置の概略斜視図を示している。
【図２】本発明の実施形態にかかる遊技球払出し装置の概略分解斜視図を示している。
【図３】本発明の実施形態にかかる遊技球払出し装置のスプロケットの概略拡大正面図を示している。
【図４】本発明の実施形態にかかる遊技球払出し装置の往復移動部材の概略図であり、（ａ）は正面図を、（ｂ）は側面図を、（ｃ）はＡ−Ａ矢視図を、（ｄ）はＢ−Ｂ矢視図を示している。
【図５ａ】本実施形態の遊技球払出し装置の停止状態を説明する概略図であり、（Ａ）は要部の断面図を、（Ｂ）はＣ−Ｃ矢視図を示している。
【図５ｂ】本実施形態の遊技球払出し装置の、メイン係止用凸部がメイン係止部の係止を解除したときの状態を説明する概略図であり、（Ａ）は要部の断面図を、（Ｂ）はＤ−Ｄ矢視図を示している。
【図５ｃ】本実施形態の遊技球払出し装置の、サブ係止用凸部がサブ係止部を係止したときの状態を説明する概略図であり、（Ａ）は要部の断面図を、（Ｂ）はＥ−Ｅ矢視図を示している。
【図５ｄ】本実施形態の遊技球払出し装置の、サブ係止用凸部がサブ係止部の係止を解除したときの状態を説明する概略図であり、（Ａ）は要部の断面図を、（Ｂ）はＦ−Ｆ矢視図を示している。
【図５ｅ】本実施形態の遊技球払出し装置の、メイン係止用凸部がメイン係止部を係止した状態を説明する概略図であり、（Ａ）は要部の断面図を、（Ｂ）はＧ−Ｇ矢視図を示している。
【符号の説明】
【００４６】
１  遊技球払出し装置
２  筐体
３  カバー
４  スプロケット
５  スプロケット用軸
６  駆動ソレノイド
７  往復移動部材
８  圧縮ばね
９  往復移動部材用軸
１０  遊技球
２０  玉計数センサ
２１  遊技球通路
２２  取付け板
２３  上面板
２４  下面板
２５  正面板
２６  通路板
３１  正面板
３２  上面板
３３  下面板
４１  スプロケット本体
４２  回転制御車
４３  貫通孔
５１  雄ねじ
６１  フレーム
６２  プランジャ
６３  シャフト
７１  連結部
７２  軸受部
７３  メイン係止用凸部
７４  サブ係止用凸部
８１  ねじ
８２，８３  ナット
２２１  ねじ孔
２３１  雌ねじ
２５１  ねじ孔
２５２  貫通孔
２５３  ねじ孔
２６１  切欠
３１１  ねじ孔
３２１  ねじ孔
４１１  歯
４１２  球係合部
４２１  メイン係止部
４２２  サブ係止部
４２３，４２４  テーパ面
４２５，４２６  被係止テーパ面
７２１  貫通孔
７３１，７４１  テーパ面
７３２，７４２  係止テーパ面
【図１】
2006061458.tif 000003
【図２】
2006061458.tif 000004
【図３】
2006061458.tif 000005
【図４】
2006061458.tif 000006
【図５ａ】
2006061458.tif 000007
【図５ｂ】
2006061458.tif 000008
【図５ｃ】
2006061458.tif 000009
【図５ｄ】
2006061458.tif 000010
【図５ｅ】
2006061458.tif 000011